(57)【要約】      （修正有）【課題】使用時のみゴミ箱としての原形を成し、使用しないときは邪魔にならずコンパクトに収納できる構造とするゴミ箱を提供する。【解決手段】軟性な材質で、１枚の板状で構成され、用途に応じて磁石２、吸盤、線ファスナー等のいずれかの接着具を用い、丸めれば中空洞の筒状を成すゴミ箱と、ゴミ等を入れるポリ袋や水切りネット等と一体で用いるものであって、使用時は金属板やタイル、ガラス等に張り付けて使用でき構造で、使用しないときは、コンパクトに収納できる構造とする。【選択図】図１
2017218277.tif 000002
【特許請求の範囲】
【請求項１】
ゴミなどを入れるポリ袋や生ゴミを処理する水切りネット等と一体で用いるものであっ
て、軟性な材質で１枚の板状で形成され、左右いずれか一方の片端に磁石を配し、もう
一方の片端には、前記ポリ袋や水切りネットのサイズの異なる袋が装着できるよう、前
記磁石を通すサイズ調整穴を数か所設け、前記板状のものを丸めると、中空洞の筒状を
成し、中空洞のいずれか一方の開口部内側へ前記ポリ袋や水切りネットを装着し、前
記  磁石により、金属 板に張り付け使用できる構造としたことを特徴とするゴミ箱。
【請求項２】
ゴミなどを入れるポリ袋や生ゴミを処理する水切りネット等と一体で用いるものであっ
て、軟性な材質で１枚の板状で形成され、左右いずれか一方の片端に吸盤を配し、もう
一方の片端には、前記ポリ袋や水切りネットのサイズの異なる袋が装着できるよう、前
記吸盤底部を通す切り込み線を伴うサイズ調整穴を数か所設け、前記吸盤により、金属
板やタイル及びガラス等に張り付け使用できる構造としたことを特徴とするゴミ箱。
【請求項３】
使用しない場合、前記ゴミ箱の空洞部を押しつぶした状態で、コンパクトに収納できる
よう、前記サイズ調整穴と前記吸盤を配した穴の中心を結ぶ線上の中間部に、前記吸盤
底部を通す切り込み線を伴う穴を設け、前記板状のものを丸めると、中空洞の筒状を成
し、中空洞を押しつぶし、前記吸盤底部を前記切り込み線を伴う穴に差し込み固定する
と、コンパクトに収納できる構造としたことを特徴とする請求項２に記載するゴミ箱。
【請求項４】
ゴミなどを入れるポリ袋や生ごみを処理する水切りネット等と一体で用いるものであっ
て、軟性な材質で１枚の板状で形成され、左右両片端に留め具である線ファスナーの雄
面及び雌面を具備し、前記板状のものを丸めて前記線ファスナーの雄面と雌面を結合す
ると、中空洞の筒状を成し、中空洞のいずれか一方の開口部内側へ前記ポリ袋や水切り
ネットを装着し、使用できる構造としたことを特徴とするゴミ箱。
【請求項５】
金属板に張り付け使用できるよう、前記板状のいずれかに磁石を配し、前記板状のもの
を丸めて前記線ファスナーの雄面と雌面を結合すると、中空洞の筒状を成す構造とした
ことを特徴とする請求項４に記載するゴミ箱。
【請求項６】
金属板やタイル及びガラス等に張り付け使用できるよう、前記板状のいずれかに吸盤を
配し、前記板状のものを丸めて前記線ファスナーの雄面と雌面を結合すると、中空洞の
筒状を成す構造としたことを特徴とする請求項４ないし５に記載するゴミ箱。
【請求項７】
使用しない場合、前記ゴミ箱の空洞部を押しつぶした状態で、コンパクトに収納できる
よう、前記吸盤を配した穴の中心を結ぶ線上の中間部に、前記吸盤底部を通す切り込み
線を伴う穴を設け、前記板状のものを丸めると、中空洞の筒状を成し、中空洞を押しつ
ぶし、前記吸盤底部を前記切り込み線を伴う穴に差し込み固定すると、コンパクトに収
納できる構造としたことを特徴とする請求項４ないし５ないし６に記載するゴミ箱。
【発明の詳細な説明】
【技術分野】
【０００１】
本発明は、ポリ袋や水切りネット等と一体で用いるゴミ箱であって、底板を設けず１
枚の板状で形成され、該板状には接着具を配し、テーブルに置いたり壁や金属製の物
などに貼り付けて使用でき、使用しない場合は邪魔にならないよう平面状や、コンパ
クトに折り曲げて収納できるよう対策を施したゴミ箱に関するものである。
【背景技術】
【０００２】
従来から、ゴミ箱に関する器具は、種々の構造のものが提案されているが、その大半
が底板を有した固定型形状で、置いて使用するゴミ箱が多かった。
【０００３】
しかしながら、ゴミ箱を固定型状にすると置くスペースが必要であったり、置いたゴ
ミ箱を足で引っ掛けて中のゴミが散乱し、掃除機などで掃除をしたりする必要があり
、色々な問題点があった。
【０００４】
また、流し台のシンクで、調理中に出る生ごみを入れるゴミ箱として多くの方が使用
しているのが、プラスチック製の三角コーナーであるが、形状が固定型のため邪魔に
なったり、プラスチックの水切り溝の間に黒カビが生え、溝の黒カビを取るのに時間
がかかったり、また、不衛生であった。
【０００５】
また、通常のゴミ箱の場合においても、底板にゴミが付着することが多く、それをい
ちいち洗うのが面倒であり、不衛生であった。
【０００６】
また、通常のゴミ箱は置いて使用する形態が主流であり、壁面に貼り付けて空間利用
のできるゴミ箱はあまり無く、まして、そのゴミ箱が使用時よりコンパクトになるよ
うなゴミ箱は無く、不便であった。
（特許文献１）
【先行技術文献】
【特許文献】
【０００７】
【特許文献１】特開２０１１−１４８５８２
【発明の概要】
【発明が解決しようとする課題】
【０００８】
従って、本発明の目的は、形状を固定型にせず、使用時のみゴミ箱の形状を成し、使
用しない場合は、平面状になったり、折り曲げてコンパクトに収納できるゴミ箱を提
供することにある。
【課題を解決するための手段】
【０００９】
次に、上記課題を解決するために、その手段を説明する。
【００１０】
請求項１に記載の発明は、ゴミなどを入れるポリ袋や生ゴミを処理する水切りネット
等と一体で用いるものであって、軟性な材質で１枚の板状で形成され、左右いずれか
一方の片端に磁石を配し、もう一方の片端には、前記ポリ袋や水切りネットのサイズ
の異なる袋が装着できるよう、前記磁石を通すサイズ調整穴を数か所設け、前記板状
のものを丸めると、中空洞の筒状を成し、中空洞のいずれか一方の開口部内側へ前記
ポリ袋や水切りネットを装着し、前記磁石により、金属板に張り付け使用できる構造
としたことを特徴とするゴミ箱。
【００１１】
請求項２に記載の発明は、ゴミなどを入れるポリ袋や生ゴミを処理する水切りネット
等と一体で用いるものであって、軟性な材質で１枚の板状で形成され、左右いずれか
一方の片端に吸盤を配し、もう一方の片端には、前記ポリ袋や水切りネットのサイズ
の異なる袋が装着できるよう、前記吸盤底部を通す切り込み線を伴うサイズ調整穴を
数か所設け、前記吸盤により、金属板やタイル及びガラス等に張り付け使用できる構
造としたことを特徴とするゴミ箱。
【００１２】
請求項３に記載の発明は、使用しない場合、前記ゴミ箱の空洞部を押しつぶした状態
で、コンパクトに収納できるよう、前記サイズ調整穴と前記吸盤を配した穴の中心を
結ぶ線上の中間部に、前記吸盤底部を通す切り込み線を伴う穴を設け、前記板状のも
のを丸めると、中空洞の筒状を成し、中空洞を押しつぶし、前記吸盤底部を前記切り
込み線を伴う穴に差し込み固定すると、コンパクトに収納できる構造としたことを特
徴とするゴミ箱。
【００１３】
請求項４に記載の発明は、ゴミなどを入れるポリ袋や生ごみを処理する水切りネット
等と一体で用いるものであって、軟性な材質で１枚の板状で形成され、左右両片端に
留め具である線ファスナーの雄面及び雌面を具備し、前記板状のものを丸めて前記線
ファスナーの雄面と雌面を結合すると、中空洞の筒状を成し、中空洞のいずれか一方
の開口部内側へ前記ポリ袋や水切りネットを装着し、使用できる構造としたことを特
徴とするゴミ箱。
【００１４】
請求項５に記載の発明は、金属板に張り付け使用できるよう、前記板状のいずれかに
磁石を配し、前記板状のものを丸めて前記線ファスナーの雄面と雌面を結合すると、
中空洞の筒状を成す構造としたことを特徴とするゴミ箱。
【００１５】
請求項６に記載の発明は、金属板やタイル及びガラス等に張り付け使用できるよう、
前記板状のいずれかに吸盤を配し、前記板状のものを丸めて前記線ファスナーの雄面
と雌面を結合すると、中空洞の筒状を成す構造としたことを特徴とするゴミ箱。
【００１６】
請求項７に記載の発明は、使用しない場合、前記ゴミ箱の空洞部を押しつぶした状態
で、コンパクトに収納できるよう、前記吸盤を配した穴の中心を結ぶ線上の中間部に
、前記吸盤底部を通す切り込み線を伴う穴を設け、前記板状のものを丸めると、中空
洞の筒状を成し、中空洞を押しつぶし、前記吸盤底部を前記切り込み線を伴う穴に差
し込み固定すると、コンパクトに収納できる構造としたことを特徴とするゴミ箱。
【発明の効果】
【００１７】
本発明は以上のように構成されているので、以下に記載されるような効果を奏す。
【００１８】
料理中に出る不要な生ゴミは、通常、シンク内にプラスチック製の三角コーナーを置
き、水切りネットをかぶせて使用するのが一般的である。その場合、三角コーナーが
邪魔になったり、三角コーナー自体に黒カビが発生したりして、それを洗うのにカビ
が完全に取れるのに手間がかかるのと不衛生であった。本発明のゴミ箱は、使用時の
みゴミ箱の形状を成し、使用しない場合は、板状やコンパクトに折り曲げてシンク内
に張り付けて収納できるので利便性が高まる。また、洗う場合も平面状になるため洗
いやすく、カビも落としやすく衛生的である。
【００１９】
通常、一般的に市販されているゴミ箱の大半は、その形状、大きさは違っても必ず底
板があり、形状が固定化されているため置いていて邪魔になる場合があったり、底内
部に汚れができたり、カビなどが発生したりするので洗うのが面倒であった。本発明
のゴミ箱は洗う手間が極端に少なく、衛生面が保たれるのとコンパクトに収納できる
構造なので利便性が高い。
【００２０】
本発明のゴミ箱は、置いてもあらゆる面に張り付けても使用できる構造のため利便性
が高い。
【００２１】
本発明のゴミ箱は、１枚の板状と接着具のみで構成されているため、製造原価が抑え
られ安価で提供できる。
【００２２】
本発明のゴミ箱は、接着具として磁石、吸盤、線ファスナー等を使用しているが、こ
の接着具だけに限定するものでは無い。例えば、両面ファスナー等を使用することも
可能である。
【００２３】
本発明のゴミ箱は、室内に限らず車内やベビーカーにつり下げて使用すると利便性の
効果が高まる。
【００２４】
本発明のゴミ箱は、平面状になるため、物流コストが抑えられる。
【図面の簡単な説明】
【００２５】
【図１】磁石を２個装着したゴミ箱の展開平面図。
【図２】磁石を装着したゴミ箱の側面図。
【図３】磁石を１個装着したゴミ箱の展開平面図。
【図４】磁石を２個装着したゴミ箱を磁石用サイズ調整穴にはめ込んだ状態を示す              斜視図。
【図５】磁石を２個装着したゴミ箱に水切りネットを装着し流し台のシンクに張り              付けた使用状態を示す斜視図。
【図６】磁石を２個装着したゴミ箱の収納過程を示す斜視図。
【図７】磁石を２個装着したゴミ箱の収納過程を示す斜視図。
【図８】磁石を２個装着したゴミ箱を流し台のシンクに張り付けて収納した状態を              示す斜視図。
【図９】磁石を１個装着したゴミ箱の組み立てた状態を示す斜視図。
【図１０】磁石を１個装着したゴミ箱にポリ袋を装着した状態を示す斜視図。
【図１１】磁石を１個装着したゴミ箱にポリ袋を装着し冷蔵庫に張り付け使用状態                を示す斜視図。
【図１２】磁石を１個装着したゴミ箱にポリ袋を装着しゴミを入れた状態を示す斜                視図。
【図１３】磁石を１個装着したゴミ箱にポリ袋を装着しゴミの入ったポリ袋を回収                している状態を示す斜視図。
【図１４】磁石を１個装着したゴミ箱の収納過程を示す斜視図。
【図１５】磁石を１個装着したゴミ箱を冷蔵庫に張り付けてコンパクトに収納した                状態を示す斜視図。
【図１６】吸盤を２個装着したゴミ箱の展開平面図。
【図１７】吸盤を装着したゴミ箱の側面図。
【図１８】吸盤を１個装着したゴミ箱の展開平面図。
【図１９】吸盤を１個装着したゴミ箱の組み立てた状態を示す斜視図。
【図２０】吸盤を１個装着したゴミ箱にポリ袋を装着した状態を示す斜視図。
【図２１】吸盤を１個装着したゴミ箱をコンパクトに収納した状態を示す斜視図。
【図２２】線ファスナーを装着したゴミ箱の展開平面図。
【図２３】線ファスナーを装着し磁石を具備したゴミ箱の展開平面図。
【図２４】線ファスナーを装着し吸盤を具備したゴミ箱の展開平面図。
【発明を実施するための形態】
【００２６】
以下、図面を参照しつつ本発明を実施するための最良の形態について説明する。
【００２７】
図１は、本発明のゴミ箱本体１の製作上の一実施例を示す展開平面図である。本発明
のゴミ箱は、ゴミ９などを入れるポリ袋５や生ごみを処理する水切りネット４等と一
体で用いるものである。ゴミ箱本体１の大きさにより、具備する磁石２や吸盤３の数
は変化する。ゴミ箱本体１は丸めることにより、ゴミ箱としての形状を成すため、材
質は軟性な素材を使用する。図１は、接着具に磁石２を２個使用した実施例であり、
１枚の板状の左右いずれか一方の片端に磁石２、２aを配し、もう一方の片端には、
前記ポリ袋５や水切りネット４のサイズの異なる袋が装着できるよう、前記磁石２，
２aを通すサイズ調整穴a1〜a6を設けた構造としたものである。
【００２８】
図２は、ゴミ箱本体１に接着具である磁石２を具備した側面図である。
【００２９】
図３は、ゴミ箱本体１に接着具である磁石２を１個具備した展開平面図である。
【００３０】
図４は、図１で示したゴミ箱本体１を丸めて、磁石２、２aをサイズ調整穴a3,a6に通
した斜視図である。
【００３１】
図５は、ゴミ箱本体１を丸め、具備した２個の磁石２，２aをサイズ調整穴a1,a4に通
し、流し台のシンク６に張り付け、水切りネット４をゴミ箱本体１の内側に装着する
構造としたものである。
【００３２】
図６は、ゴミ箱本体１を使用しないとき邪魔にならずコンパクトに収納するために、
使用時とは逆方向にゴミ箱本体１を丸め、具備した磁石２，２aが開口部内側に向か
って、サイズ調整穴に通す構造としたものである。
【００３３】
図７は、筒状のゴミ箱本体１を押ししゃげた状態の斜視図である。
【００３４】
図８は、使用しない場合、ゴミ箱本体１が邪魔にならないようコンパクトに折り曲げ
磁石２，２aで流し台のシンク６に張り付けた状態を示す斜視図である。
【００３５】
図９は、ゴミ箱本体１に磁石２を１個具備し、サイズ調整穴a1に通し、筒状に丸めた
状態を示す斜視図である。
【００３６】
図１０は、筒状に丸めたゴミ箱本体１に、ポリ袋５を装着した状態を示す斜視図であ
る。
【００３７】
図１１は、使用状態を示すものであり、ポリ袋５を装着したゴミ箱本体１を冷蔵庫８
に張り付けた状態を示す斜視図である。
【００３８】
図１２は、ポリ袋５を装着したゴミ箱本体１にゴミ９を入れた状態を示す斜視図であ
る。
【００３９】
図１３は、ゴミ９の入ったポリ袋５を手７で持ち、下方向に引き抜き回収している状
態を示す斜視図である。
【００４０】
図１４は、ゴミ箱本体１を使用しないとき邪魔にならずコンパクトに収納するために
、使用時とは逆方向にゴミ箱本体１を丸め、具備した磁石２が開口部内側に向かって
、サイズ調整穴に通した斜視図である。
【００４１】
図１５は、使用しない場合、ゴミ箱本体１が邪魔にならないようコンパクトに折り曲
げ、磁石２で冷蔵庫に張り付けた状態を示す斜視図である。
【００４２】
図１６は、接着具に吸盤３、３aを２個使用した実施例であり、１枚の板状の左右い 
ずれか一方の片端に吸盤３，３aを配し、もう一方の片端には、ポリ袋５や水切りネ
ッ   ト４のサイズの異なる袋が装着できるよう、前記吸盤３，３aの吸盤底部１０を通す
吸    盤通し切り込み線cを設けたサイズ調整穴b1~b6を設けた構造としたものである。
【００４３】
図１７は、吸盤３を具備したゴミ箱本体１の側面図である。
【００４４】
図１８は、吸盤３を１個装着したゴミ箱本体の展開平面図である。
【００４５】
図１９は、ゴミ箱本体１に吸盤３を１個具備し、サイズ調整穴b1に通し、筒状に丸め
た状態を示す斜視図である。
【００４６】
図２０は、筒状に丸めたゴミ箱本体１に、ポリ袋５を装着した状態を示す斜視図であ
る。
【００４７】
図２１は、使用しない場合、ゴミ箱本体１が邪魔にならないよう、該ゴミ箱本体１を
折り曲げ、吸盤底部１０を吸盤底部通し穴e1に通し、コンパクトに収納して冷蔵庫に
張り付けた状態を示す斜視図である。
【００４８】
図２２は、本発明のゴミ箱本体１の製作上の一実施例を示す展開平面図である。
１枚の板状のゴミ箱本体１の左右いずれか一方の片端に線ファスナー雄面１１を配し
、もう一方の片 端には、線ファスナー雌面１１aを設けた構造としたものである。
【００４９】
図２３は、本発明のゴミ箱本体１に接着具として配した、線ファスナー雄面１１と線
ファスナー雌面１１aを具備したゴミ箱本体１に、金属面に張り付け使用できるのと
、コンパクトに収納できるよう磁石を配した展開平面図である。
【００５０】
図２４は、線ファスナー１１、１１aを配したゴミ箱本体１に吸盤３と吸盤通し切り
込み線cを配した吸盤底部通し穴e1を設け、金属板やタイル、ガラス等に張り付け使
用できるのと、コンパクトに収納できる構造とした展開平面図である。
【符号の説明】
【００５１】
１              ゴミ箱本体
２              磁石
２a               磁石
３              吸盤
３a            吸盤
４              水切りネット
５              ポリ袋
６              流し台のシンク
７              手
８              冷蔵庫
９              ゴミ
１０            吸盤底部
１１            線ファスナー雄面
１１a             線ファスナー雌面
a1                 磁石用サイズ調整穴
a2              磁石用サイズ調整穴
a3              磁石用サイズ調整穴
a4              磁石用サイズ調整穴
a5              磁石用サイズ調整穴
a6              磁石用サイズ調整穴
b1              吸盤用サイズ調整穴
b2              吸盤用サイズ調整穴
b3              吸盤用サイズ調整穴
b4              吸盤用サイズ調整穴
b5              吸盤用サイズ調整穴
b6              吸盤用サイズ調整穴
c                吸盤通し切り込み線
d              吸盤底部溝
e1               吸盤底部通し穴  
e2              吸盤底部通し穴
【図１】
2017218277.tif 000003
【図２】
2017218277.tif 000004
【図３】
2017218277.tif 000005
【図４】
2017218277.tif 000006
【図５】
2017218277.tif 000007
【図６】
2017218277.tif 000008
【図７】
2017218277.tif 000009
【図８】
2017218277.tif 000010
【図９】
2017218277.tif 000011
【図１０】
2017218277.tif 000012
【図１１】
2017218277.tif 000013
【図１２】
2017218277.tif 000014
【図１３】
2017218277.tif 000015
【図１４】
2017218277.tif 000016
【図１５】
2017218277.tif 000017
【図１６】
2017218277.tif 000018
【図１７】
2017218277.tif 000019
【図１８】
2017218277.tif 000020
【図１９】
2017218277.tif 000021
【図２０】
2017218277.tif 000022
【図２１】
2017218277.tif 000023
【図２２】
2017218277.tif 000024
【図２３】
2017218277.tif 000025
【図２４】
2017218277.tif 000026
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
ゴミを入れるポリ袋や生ゴミを処理する水切りネットと一体で用いるものであって、軟性な材質で１枚の板状で形成され、左右いずれか一方の片端に磁石を配し、もう一方の片端には、前記ポリ袋や水切りネットのサイズの異なる袋が装着できるよう、前記磁石を通すサイズ調整穴を数か所設け、前記板状のものを丸めると、中空洞の筒状を成し、中空洞のいずれか一方の開口部内側へ前記ポリ袋や水切りネットを装着し、前記磁石により、金属板に張り付け使用できる構造としたことを特徴とするゴミ箱。
【請求項２】
ゴミを入れるポリ袋や生ゴミを処理する水切りネットと一体で用いるものであって、軟性な材質で１枚の板状で形成され、左右いずれか一方の片端に吸盤を配し、もう一方の片端には、前記ポリ袋や水切りネットのサイズの異なる袋が装着できるよう、前記吸盤底部を通す切り込み線を伴うサイズ調整穴を数か所設け、前記吸盤により、金属板やタイル及びガラスに張り付け使用できる構造としたことを特徴とするゴミ箱。
【請求項３】
使用しない場合、前記ゴミ箱の空洞部を押しつぶした状態で、コンパクトに収納できるよう、前記サイズ調整穴と前記吸盤を配した穴の中心を結ぶ線状の中間部に、前記吸盤底部を通す切り込み線を伴う穴を設け、前記板状のものを丸めると、中空洞の筒状を成し、中空洞を押しつぶし、前記吸盤部を前記切り込み線を伴う穴に差し込み固定すると、コンパクトに収納できる構造としたことを特徴とする請求項２に記載するゴミ箱。
【請求項４】
ゴミを入れるポリ袋や生ごみを処理する水切りネットと一体で用いるものであって、
軟性な材質で１枚の板状で形成され、左右両片端に留め具である線ファスナーの雄面及び雌面を具備し、前記板状のものを丸めて前記線ファスナーの雄面と雌面を結合すると、中空洞の筒状を成し、中空洞のいずれか一方の開口部内側へ前記ポリ袋や水切りネットを装着し、前記中空洞の外側に磁石を取り付けたことを特徴とするゴミ箱。
【請求項５】
前記磁石の代わりに、吸盤を取り付けたことを特徴とする請求項４に記載するゴミ箱。  
【請求項６】
使用しない場合、前記ゴミ箱の空洞部を押しつぶした状態で、コンパクトに収納できるよう、前記吸盤を配した穴の中心部を結ぶ線状の中間部に、前記吸盤底部を通す切り込み線を伴う穴を設けたことを特徴とする請求項５に記載するゴミ箱。